【事件の表示】
　特許第２９７２８２８号「化粧料」の特許に対する特許異議の申立てについて、次のとおり決定する。
【結　論】
　特許第２９７２８２８号の特許を維持する。
【理　由】
Ｉ．手続の経緯
　特許第２９７２８２８号に係る発明についての出願は、平成７年３月３０日に特許出願され、平成１１年９月３日にその発明について設定登録がなされ、その後、その特許について、特許異議申立人　市橋俊一朗より特許異議の申立がなされたものである。
II．本件発明
　特許第２９７２８２８号の請求項１に係る発明（以下、本件発明という）は、その特許請求の範囲の請求項１に記載された、次のとおりのものである。
「【請求項１】甘草抽出物、アロエ抽出物及びトコフェロール類を含有することを特徴とする化粧料。」
III．異議申立ての概要
　異議申立人は、甲第１号証（特開平５−１３９９５０号公報）、甲第２号証（特開平６−１０７５３２号公報）、甲第３号証（特開平６−２３４６２３号公報）を提出して、本件発明は、前記甲第２−３号証に記載された発明に基づいて当業者が容易に発明をすることができたものであるから、本件発明の特許は、特許法第２９条第２項の規定に違反してされたものであるから、本件発明の特許は、特許法第１１３条第２号に規定により取り消すべき旨主張している。
IV．異議申立理由に対する判断
１、甲号証に記載の事項
　甲第１号証には、
「【請求項１】化粧料全量に対して０．０１〜１０重量％の下記の一般式で表されるハイドロキノン配糖体の少なくとも１種と、美白作用を有する生薬又は生薬エキスとを含む化粧料。
　　　
式中、Ｒは５炭糖、６炭糖、アミノ糖、ウロン酸又はこれらのメチル化物を表す。
【請求項２】前記ハイドロキノン配糖体がアルブチンであることを特徴とする請求項１記載の化粧料。
【請求項４】前記美白作用を有する生薬又は生薬エキスが、クワ（ソウハクヒ）、アロエ、シャクヤク、・・・のエキスの内少なくとも１つであることを特徴とする請求項１〜３のいずれか一項に記載の化粧料。」（特許請求の範囲）
「そこで、ハイドロキノン配糖体に加えて、紫外線吸収剤、グリチルリチン等の抗炎症剤あるいは胎盤抽出物のような美白作用を有する他の有効成分を併用し、相乗効果を狙った化粧料が開示されている・・・が、これらの物質は、安全性あるいは感触面等の問題から、実用的な相乗効果が得られるほど多量に化粧料に配合することは困難である。」（１欄４５行〜２欄１行）が記載され、
「本発明は、ハイドロキノン配糖体のもつ美白作用を高め、実用的に十分な美白効果を有し、安全性や官能の面でも優れた化粧料を提供することを課題とする。・・・美白作用を有する生薬またはそのエキスをハイドロキノン配糖体と併用すると、美白作用が相乗的に向上し、化粧品に配合した場合に十分な美白効果を発揮しさらに安全性に優れ、」（２欄１６行〜２５行）が記載され、
　そして、表３には生薬及び生薬エキスとハイドロキノン配糖体であるアルブチン及びビタミンＥを配合した化粧料が記載されている。
　甲第２号証には、
「【請求項１】次の成分（Ａ）及び（Ｂ）：（Ａ）茶抽出物、葛根抽出物、丁子抽出物、アロエ抽出物、桑白皮抽出物、オウゴン抽出物及び甘草抽出物から選ばれる植物抽出物の１種又は２種以上
（Ｂ）紫外線吸収剤及び／又は紫外線散乱剤を含有する美白化粧料。」（特許請求の範囲）が記載され、
「特定の植物抽出物と紫外線吸収剤を組合わせて用いれば、相乗的に美白効果が増強され、シミ及びソバカスを充分に予防及び治療することができる美白化粧料が得られることを見出し、本発明を完成した。」（１欄３３行〜３７行）と記載され、
「更に、本発明の美白化粧料には、前記必須成分の他、通常の化粧料、医薬部外品、医薬品等に用いられる各種任意成分、例えば精製水、エタノール、油性物質、保湿剤、増粘剤、防腐剤、乳化剤、薬効成分、粉体、色素、香料、乳化安定剤、ｐＨ調整剤等を、本発明の効果を損なわない範囲で適宜配合することができる。」（３欄４６行〜４欄１行）と記載されている。
　また、実施例４には、エッセンス（美容液）として、アロエ抽出物と甘草抽出物を配合した化粧料が示されている。
　甲第３号証には、
「必須成分としてグラブリジンおよびビタミン類を含有することを特徴とする皮膚化粧料。」（特許請求の範囲）が記載され、
「これら必須成分の相乗作用により、紫外線等の外的刺激で生じる炎症や皮膚メラニンの生成・沈着を抑制するものである。」（１欄３６行〜３８行）と記載され、
「従来確認されていたグラブリジンのメラニン生成抑制作用はグラブリジンを単用した場合のものであって、それをビタミン類その他の生理活性物質と併用した場合の効果は知られていなかった。」（２欄１３行〜１７行）と記載され、
「グラブリジンとともに本発明の皮膚化粧料に含有させるビタミン類の好ましい具体例としては、ビタミンＡ類（・・・）、ビタミンＢ１類縁物質（・・・）、ビタミンＢ２類（・・・）、ビタミンＢ６類（・・・）、ビタミンＥ類（・・・）、ビタミンＣ類（・・・）等が挙げられる。これらのビタミン類は、２種以上を本発明の化粧料に含有させてもよい。」（２欄４３行〜３欄３行）と記載されている。
　そして、表１には、ビタミン類としてビタミンＥが配合された化粧水処方が示されている。
２、判断
　本件発明は、美白化粧料において、刺激性などの問題が懸念される甘草の抽出物を配合するに当たり、甘草抽出物、アロエ抽出物とトコフェロール類を組合わせることにより、相乗効果によって美白効果に優れ、皮膚安全性が高い条件を満足する美白化粧料を見出したものである。
　これに対し、甲第１号証のものは、美白作用を有する生薬又はそのエキスをハイドロキノン配糖体と併用すると美白作用が相乗的に向上し、化粧品に配合した場合に充分な美白効果を発揮し、安全性に優れた美白化粧料が得られるというものである。
　しかしながら、甲第１号証には甘草抽出物の使用については記載がなく、甲第１号証の美白化粧料は、ハイドロキノン配糖体のもつ美白作用を高め、実用的に十分な美白効果を有する化粧料を得るために、美白作用を有する生薬またはそのエキスをハイドロキノン配糖体と併用することにより美白作用が相乗的に向上するというものである。
　また、甲第２号証に記載のものは、特定の植物抽出物と紫外線吸収剤を組合わせることにより相乗的に美白効果が増強されるというもので、紫外線吸収剤と組合わせる植物抽出物としてアロエと甘草の組合せが示されている。
　しかしながら、美白効果の増強は、紫外線吸収剤にアロエと甘草とを組合せることによりもたらされるものであり、甲第２号証には、トコフェロール類を組み合わせることについては記載も示唆もされていない。
　さらに、甲第３号証のものは、皮膚化粧料において、甘草から抽出されたグラブリジンおよびビタミン類を含有することにより、これらの必須成分の相乗作用により、紫外線等の外的刺激で生じる炎症や皮膚メラニンの生成・沈着を抑制するというものであるが、グラブリジンおよびビタミンＥを配合することは記載されているが、アロエまたはそのエキスを配合することは記載されていない。
　してみると、甲第１〜３号証においては、本件発明の上記３成分の併用については記載されていない。
　しかも、甲第１号証においては、ハイドロキノンの効力を増強するためにアロエ及びビタミンＥを配合するものであり、また、甲第２号証は紫外線吸収剤の効力を増強するためにアロエ及び甘草抽出物を併用するものであって、各々効力を増強する成分が異なるのである。
　してみれば、甲第１号証と甲第２号証とを組合わせることは当業者において容易に想到できるとは言えないし、また、このようなハイドロキノン及び紫外線吸収剤について記載のない甲第３号証の発明において、甲第１，２号証記載の成分を併用するという考えについても容易に想到できるとも言えない。
　そして、明細書に記載の実施例及び比較例からみて、甘草抽出物、アロエ抽出物、トコフェロール類の全てを併用した本件請求項１に係る発明の化粧料は、これらのうち１種でも配合されていないものに比較し、その効果が極めて優れていることが明らかであり、この効果は甲第１〜３号証の発明から予想することはできない。
　したがって、本件発明は、前記甲第１−３号証に記載された発明に基づいて当業者が容易に発明をすることができたとはいえない。
Ｖ．むすび
　以上のとおりであるから、特許異議申立人の主張及び証拠方法によっては本件請求項１に係る発明の特許を取り消すことはできない。
　また、他に本件請求項１に係る発明の特許を取り消すべき理由を発見しない。
　よって、結論のとおり決定する。
【異議決定日】
平成１２年９月４日（２０００．９．４）